(57)【特許請求の範囲】
【請求項１】
天板の下に収納棚が収納される机であって、その収納棚は底面にキャスターが取着され、机の前面に水平方向に回動可能に取着されており、その収納棚が前記机の天板の下に収納されたときに、その机の前面開口を覆うように収納棚に背板が設けられていることを特徴とする机。
【請求項２】
壁で構成された平断面コ字状の凹部の内側に設置された請求項１に記載の机の取付構造であって、前記壁の相対する内面と前記机の端部とに、隙間を設けて前記机が設置されており、その隙間の前面が前記机の側面と略同じ外形の枠組とその枠組に取着された隙間を塞ぐ前板とからなる側板で塞がれており、前記枠組の厚さが前記側板の幅より小さくなされていることを特徴とする机の取付構造。
【請求項３】
前記机の端部と前記壁の相対する内面との間の隙間の上面が前記机の天板の上に設けられた化粧板で塞がれていることを特徴とする請求項２記載の机の取付構造。
【発明の詳細な説明】
【０００１】
【発明の属する技術分野】
本発明は、ダイニングキッチンの一角や家事室等に設置して、主婦が趣味の読書や手芸，アイロンかけ，裁縫等の家事作業を行うのに好適に使用される机とその取付構造に関する。
【０００２】
【従来の技術】
家事作業を行う机の天板は、広い方が使い勝手がよいが、天板が広いと机の専有面積が大きくなり、使用しないときにはじゃまになるという問題がある。この欠点を解消するために、不使用時の占有面積を節減することができるよう、机の天板を折り畳み可能とする技術が、特開平１０−１１７８４９号公報に記載されている。この技術においては、箱状の収納部の天板の一側縁に蝶番によって折り畳み自在の稼働板（作業台）が取り付けてある。稼働板を使用するときは、稼働板を持ち上げて収納部の天板とフラット面を形成し、収納部に回転自在に取り付けてある支持部を稼働板の下に回動して稼働板を固定する構造になっている。
【０００３】
【発明が解決しようとする課題】
しかしながら、上述の机においては、作業の前後の組立、折り畳みに手間を要するという問題があった。また、壁で囲まれた凹部へ机を設置する際、壁間の寸法精度や机の幅の寸法精度が悪いと、壁の内面と机の端部との間に隙間が開くという問題があった。
【０００４】
本発明は、上記従来の問題点を解消し、殆ど手間をかけることなく、作業台の展開及び収納を行うことができ、室内空間を有効活用することができる机を提供することを目的とする。また、壁で囲まれた凹部へ、相対する壁の内面と机の端部との間の隙間を見せることなく収めることのできる机を提供することを目的とする。
【０００５】
【課題を解決するための手段】
上記目的を達成するため、天板の下に作業台が収納される机であって、その作業台の一端部の下方に、底面にキャスターが取着された収納棚が配設されており、他端部は前記天板の底面に水平方向に回動可能に軸着されていることを特徴とする机である。
【０００６】
また、本発明は、天板の下に収納棚が収納される机であって、その収納棚は底面にキャスターが取着され、机の前面に水平方向に回動可能に取着されており、その収納棚が前記机の天板の下に収納されたときに、その机の前面開口を覆うように収納棚に背板が設けられていることを特徴とする机である。
【０００７】
ここで、収納棚の天板は、上下方向に回動可能に枢着されると共に、背板の前面に水平に配設された案内レール内を左右方向に摺動可能となされることによって、机の下方から引出した際に、机の天板と面一に配設されるようになされるのが好ましい。
【００１１】
本発明の机において、机の前部に電源用のコンセントを備えると、アイロン等の電気器具が便利に使えるので好ましい。
また、机の後方には書類等をクリップするボードを立設し、上部には吊り戸棚が設けると、収納や作業効率をよくできるので好ましい。
また、吊り戸棚の下面にハンガーパイプを取り付けると、アイロンかけをした衣類等を掛けておくことができ、作業を効率よく行えるので好ましい。
【００１２】
本発明の机の材質は、特に限定されず、例えば、ランバーコア合板、プリント合板、ポリエステル合板、塗装合板等の合板、鋼板、合成樹脂被覆鋼板等が挙げられる。
【００１３】
また、本発明の収納棚の材質は、特に限定されず、例えば、ランバーコア合板、プリント合板、ポリエステル合板、塗装合板等の合板、鋼板、合成樹脂被覆鋼板等が挙げられる。
また、収納棚の少なくとも一段の棚が難燃材料で仕上げられたものはアイロン等が冷めないうちに置かれても火事になる心配がなく好ましい。特に、ステンレススチール等の金属管を並設した棚とすると熱いアイロンの冷却を早くすることができるのでさらに好ましい。
【００１４】
本発明の作業台の材質は、特に限定されず、例えば、合板等からなる基板の外面を綿織物等の布地で被覆し、基板と布地との間に藁等の詰め物をしたものが挙げられる。
【００１５】
また、本発明は、壁で構成された平断面コ字状の凹部の内側に設置された机の取付構造であって、前記壁の相対する内面と前記机の端部とに、隙間を設けて前記机が設置されており、その隙間の前面が前記机の側面と略同じ外形の枠組とその枠組に取着された隙間を塞ぐ前板とからなる側板で塞がれており、前記枠組の厚さが前記側板の幅より小さくなされていることを特徴とする机の取付構造である。
【００１６】
また、本発明は、上記発明において、前記机の端部と前記壁の相対する内面との間の隙間の上面が前記机の天板の上に設けられた化粧板で塞がれていることを特徴とする机の取付構造である。
【００１７】
また、本発明は、上記発明において、前記机が上記した机であることを特徴とする机の取付構造である。
【００１８】
【作用】
この机においては、作業台の一端部の下方に、底面にキャスターが取着された収納棚が配設されており、他端部は天板の底面に水平方向に回動可能に軸着されている。従って、作業台の展開及び収納が容易に行え、室内空間を有効に活用できる。
【００１９】
本発明の机においては、収納棚は底面にキャスターが取着され、机の前面に水平方向に回動可能に取着されており、その収納棚が机の天板の下に収納されたときに、その机の前面開口を覆うように収納棚に背板が設けられている。従って、作業台の展開及び収納が容易に行え、室内空間を有効に活用できる。また、収納棚が机の天板の下に収納されているときには、机の前面が背板で覆い隠されるので、意匠的に優れたものとすることができる。
【００２０】
本発明の机においては、作業台はキャスターを有する脚部が取着され、前方にスライド可能となされており、机の天板より下面に３０ｍｍ〜２００ｍｍの隙間を設けて机に取り付けられている。従って、作業台の展開及び収納が容易に行え、室内空間を有効に活用できる。また、作業台の上に衣類等を広げたままで、作業台を机の天板の下に収納することができる。
【００２１】
本発明の机においては、作業台の下面にスライド部が設けてあり、机の天板の下部に設けられたスライド受け部の上をスライド部がスライドするようになされている。つまり、作業台の側面にスライド部を設ける必要がないので、作業台を広くすることができ、また、作業台の側面に邪魔な突起等を設ける必要がない。
【００２２】
本発明の机においては、収納棚の底面にキャスターが取着され、収納棚の少なくとも一段の棚が難燃材料で形成されている。従って、収納棚に使用直後でまだ熱いアイロンであっても、収納棚を引き出して収納できるので片付けを効率的にできる。また、作業台はキャスターを有する脚部が取着され、前方にスライド可能となされている。従って、作業台の展開及び収納が容易に行え、室内空間を有効に活用できる。また、作業台は机の天板より下面に３０ｍｍ〜２００ｍｍの隙間を設けて机に取り付けられている。従って、作業台の上に衣類等を広げたままで、作業台を机の天板の下に収納することができる。
【００２３】
本発明の机取付構造においては、壁の相対する内面と机の端部とに、隙間を設けて机が設置されているので、机が挿入設置し易く、施工が容易である。また、その隙間の前面が前記机の側面と略同じ外形の枠組とその枠組に取着された隙間を塞ぐ前板とからなる側板で塞がれており、前記枠組の厚さが前記前板の幅より小さくなされている。従って、壁面間の寸法精度や机の幅の寸法精度が悪くても、枠組はそのままで前板の幅を調整するだけで、側板を隙間の寸法に合わせることができる。また、枠組を床や壁や机に固定することにより、前板を簡単に固定することができる。
【００２４】
本発明の机取付構造においては、机の端部と壁の相対する内面との間の隙間の上面が前記机の天板の上に設けられた化粧板で塞がれている。従って、壁面間の寸法精度や机の幅の寸法精度が悪くても、化粧板と天板との重ね代を調整することで、隙間を塞ぐことができる。
【００２５】
本発明の机取付構造においては、机が上記の机である。従って、机が壁面で構成された平断面コ字状の凹部の内側に設置されていても、作業台の展開及び収納が容易に行え、室内空間を有効に活用できる。また、作業後の片付けが簡単にできる。
【００２６】
【発明の実施の形態】
以下、本発明の実施例を図面に基づいて説明する。
図１は本発明の机の実施例を示す斜視図である。
【００２７】
図１において、１は１組の側板１１間に天板１２が架設された全体形状略門型状の机であって、天板１２の前端縁は側板１１より前方に突出されている。
【００２８】
天板１２の底面にはアイロンかけ台である作業台２が水平方向に回動可能に回転金物１３で軸着されており、作業台２の自由端の下方には、底面の四隅にキャスター４が取着された略箱状の収納棚３が同じく回転金物１４で回動可能に軸着されている。
【００２９】
なお、収納棚３と作業台２とは固定されていても構わないが、実施例のように回動可能に軸着されている方が、回動がスムーズに行え、作業台２を回動させて手前に引出したときに、収納棚３の向きを変えることができるので、使い勝手がよく好ましい。
【００３０】
収納棚３は側方が開口されており、収納棚３の片方の側板３１は、背板３２より外側に突出されており、作業台２を机１の天板１２の下方に収納した際に、机１の側板１１の前面に当接されるようなされている。収納棚３内には、アイロン、電動ミシン等の機器を収納することができるようなされている。
【００３１】
収納棚３の底板の上方には、ステンレススチール管（難燃材料）が並設された棚３６が設けられており、アイロンかけ作業終了後、アイロンが冷め切る迄待たなくとも収納することができる。
【００３２】
作業台２を使用する際には、収納棚３の手前側の側板３１に突設された把手３３を把持して、収納棚３を手前に引出すことによって、作業台２は机１に直交する作業位置迄回動される。作業台２の自由端の下方は収納棚３で支持されることとなり、作業台２の上で安定してアイロンかけ作業を行うことができる。
【００３３】
なお、作業台２は、アイロンかけ台として用いる外、机１の天板１２上にパーソナルコンピューター本体を載置し、キーボードを載置する台として用いてもよい。
【００３４】
図２は本発明の机の他の実施例を示す斜視図である。
机１の天板１２の下には、底面にキャスター４が取着された収納棚３が収納できるようになされている。収納棚３は、机１の前面に水平方向に回動可能に取着されており、収納棚３の背板３２Ｂが机１の前面開口部を覆い隠すようなされている。
【００３５】
収納棚３の天板３４は、上下方向に回動可能に枢着されると共に、背板３２Ｂの前面に水平に配設された案内レール３５内を左右方向に摺動可能となされており、収納棚３を机１の下方から引出し、机１に直交する作業位置迄回動した際に、机１の天板１２と面一に載置されるようなされている。
【００３６】
図３は本発明の他の実施例を示す斜視図である。
机１Ａは１組の側板１１Ａ間に天板１２Ａが架設された全体形状略門型状の机であって、天板１２Ａの前端縁は側板１１Ａより前方に突出されている。
【００３７】
天板１２Ａの左側部には天板裏面より45ｍｍ隙間を設けてアイロンかけ台である作業台２Ａが取り付けられ、作業台２Ａの両側よりスライド軸２１，２１が前後にスライド可能に取り付けられ、天板裏面に設けられたスライド受け部２２，２２内に装着されている。
作業台２Ａの両側の脚（脚部）２３，２３の下端にはキャスター４Ａ，４Ａが取着され、作業台２Ａの前後への移動がスムーズに行えるようになされている。また、脚２３には作業台２Ａから補強材２４が設けられている。
【００３８】
また、天板１２Ａの右側部には、底面の四隅にキャスター４Ｂが取着された略箱状の収納棚３Ａが納められる。収納棚３Ａは側方が開口されており、収納棚３Ａの手前側の側板３１Ａの左辺は、背板３２Ａより外側に突出しており、収納棚３Ａを机１Ａの天板１２Ａの下方に収納した際に、机１Ａの側板１１Ａの前面に当接されるようになされている。収納棚３Ａ内には、アイロン、電動ミシン等の機器を収納することができるようなされている。
【００３９】
収納棚３Ａの上段の棚３６Ａは、本実施例では金網が設けられており、アイロンかけ作業終了後、アイロンが冷め切る迄待たなくとも収納することができる。
この上段の棚３６Ａは金網等の金属材料に限らず、難燃材料として、難燃処理加工した難燃合板、難燃繊維板、難燃プラスチック板、その他難燃性の建築材料が用いられてもよい。
【００４０】
作業台２Ａを使用する際には、机１Ａの天板１２Ａの裏面よりスライドさせて引き出し、その上でアイロンかけ作業を行うことができる。
そして作業台２Ａは天板１２Ａの裏面より45ｍｍ隙間を設けて取付けられているので、アイロン掛けされている衣類等を広げたままで、作業台２Ａを机１Ａの天板１２Ａの下に収納することができる。つまり、衣類を広げたままで作業台２Ａを収納しても衣類はしわにならないので、作業を中断して片付けをすることができる。
【００４１】
なお、作業台２Ａは、アイロンかけ台として用いる外、机１Ａの天板１２Ａ上にパーソナルコンピューター本体を載置したときには、キーボードを載置する台として用いてもよい。
【００４２】
さらに、机１Ａの背後にはコルクボード５が立設されておりメモ等をクリップしておける。また、机１Ａの上部には吊り戸棚６が設けられており、各種収納に利用でき、吊り戸棚６の底部にハンガーパイプ７を設け、アイロンをかけ終えたシャツ等の衣類をハンガーで吊るしておける。
また、机１Ａの前部にはコンセント１５を設けてあるのでアイロン、パソコン等の電源として利用できる。
そして、本発明の机においては、机１Ａや収納棚３Ａ及び吊り戸棚６等を周囲の家具、例えば、システムキッチン等と色彩等を調和させ、インテリアとしてふさわしい外観とすることができる。
【００４３】
図４は本発明の机の取付構造の実施例を示す正面図であり、図５は図４のV −V 線断面図であり、図６は図４のVI−VI線断面図である。また、図７は図４のVII 部の断面詳細図であり、図８は図４のVII 部の斜視図であり、図９は図４のIX部の断面詳細図である。
【００４４】
図５に示すように、机１Ｂは、壁８１，８２，８３で構成された平断面コ字状の凹部の内側に設置されている。ここで、壁８１と壁８３の相対する内面と机１Ｂの両端部とには隙間８１ａ，８３ａが設けてある。
【００４５】
図４において、机１Ｂは４枚の側板１７の上に天板１２Ｂが架設された机である。天板１２Ｂの中央部には、天板１２Ｂ裏面より４５ｍｍ隙間を設けて作業台２Ｂが取り付けられている。作業台２Ｂの両側の脚２３，２３の下端にはキャスター４Ａ，４Ａが取着されている。また、図７に示すように、作業台２Ｂの両側下面にはスライド軸（スライド部）２１Ａが前後にスライド可能に取り付けられ、天板１２Ｂの下部に設けられたスライド受け部２２Ａ上に装着されている。これらにより、図６の一点鎖線と実線とで示すように、作業台２Ｂの前後への移動がスムーズに行えるようになされている。
【００４６】
また、図８に示すように、作業台２Ｂを引き出すと、作業台２Ｂの両側面に組み込んだストッパー２４がバネにより飛び出し、側板１７，１７に当接することにより、作業台２Ｂが固定されるようになされている。
【００４７】
また、天板１２Ｂの右側部には、図４に示すように、底面の四隅にキャスター４Ｂが取着された略箱状の収納棚３Ｂが納められる。収納棚３Ｂ内には、アイロン、電動ミシン等の機器を収納することができるようなされている。
【００４８】
また、天板１２Ｂの下部の奥には、幅の狭い棚１６が取り付けてあり、天板１２Ｂの奥の利用の困難な空間を収納として利用できるようになされている。また、天板１２Ｂの上部の壁８２にはコルクボード５Ｂが取り付けてある。さらに、その上部には吊り戸棚６Ａが設けてある。
【００４９】
壁８１と壁８３の相対する内面と机１Ｂの両端部との間の隙間８１ａ，８３ａは、図９に示すように側板１８で塞がれている。つまり、机１Ｂの側面と略同じ外形に木桟を組んだ枠組１８ｂとその枠組１８ｂの前面に取着された前板１８ａとからなる側板１８で隙間の前面が塞がれている。ここで、枠組１８ｂの厚さは前板１８ａの幅より小さくなされている。
また、机１Ｂの天板１２Ｂの両端部と壁８１，８３の相対する内面との間の隙間８１ａ，８３ａの上面が机１Ｂの天板１２Ｂの上に設けられた化粧板１９で塞がれている。
【００５０】
上述のように机１Ｂが壁８１，８２，８３によって構成された凹部に設けられているので、壁間の寸法精度や机の幅の寸法精度が悪くても、枠組は加工する必要はなく、前板の幅を調整するだけで、前面の隙間を塞ぐことができる。また、壁間の寸法精度や机の幅の寸法精度が悪くても、化粧板１９と天板１２Ｂとの重ね代を調整することで、上面の隙間を塞ぐことができる。つまり、少ない部品点数で優れた収まりを実現できる。また、寸法精度を必要とせず、必要な隙間を設けることができるので、机の施工が容易である。
【００５１】
また、作業台２Ｂを使用する際には、机１Ｂの天板裏面よりスライドさせて引き出しその上でアイロンかけ作業等を行うことができる。
そして作業台２Ｂは天板１２Ｂの裏面より４５ｍｍ隙間を設けて取付けられているので、アイロン掛けされている衣類等を広げたままで、作業台２Ｂを机１Ｂの天板１２Ｂの下に収納することができる。つまり、作業台２Ｂを収納しても衣類はしわにならないので、作業を中断して片づけることができる。
【００５２】
なお、作業台２Ｂは、アイロンかけ台として用いる外、机１Ｂの天板１２Ｂ上にパーソナルコンピューター本体を載置したときには、キーボードを載置する台として用いてもよい。
【００５３】
以上のように構成されているので、面積の狭い住宅であっても、使い勝手のよい間取りを実現することができ、また、室内の片付けの簡単な住宅を実現することができる。
【００５４】
【発明の効果】
請求項１記載の発明の机においては、作業台の一端部の下方に、底面にキャスターが取着された収納棚が配設されており、他端部は天板の底面に水平方向に回動可能に軸着されている。従って、作業台の展開及び収納が容易に行え、室内空間を有効に活用できるので、面積の狭い住宅であっても、使い勝手のよい間取りを実現することができる。
【００５５】
請求項２記載の発明の机においては、収納棚は底面にキャスターが取着され、机の前面に水平方向に回動可能に取着されており、その収納棚が机の天板の下に収納されたときに、その机の前面開口を覆うように収納棚に背板が設けられている。従って、作業台の展開及び収納が容易に行え、室内空間を有効に活用できる。また、収納棚が机の天板の下に収納されているときには、机の前面が背板で覆い隠されるので、意匠的に優れたものとすることができる。つまり、面積の狭い住宅であっても、使い勝手のよい間取りを実現することができ、また、室内の片付けの簡単な住宅を実現することができる。
【００５６】
請求項３記載の発明の机においては、作業台はキャスターを有する脚部が取着され、前方にスライド可能となされており、前記机の天板より下面に３０ｍｍ〜２００ｍｍの隙間を設けて机に取り付けられている。従って、作業台の展開及び収納が容易に行え、室内空間を有効に活用できる。また、作業台の上に衣類等を広げたままで、作業台を机の天板の下に収納することができる。つまり、面積の狭い住宅であっても、使い勝手のよい間取りを実現することができ、また、室内の片付けの簡単な住宅を実現することができる。
【００５７】
請求項４記載の発明の机においては、作業台の下面にスライド部が設けてあり、机の天板の下部に設けられたスライド受け部の上をスライド部がスライドするようになされている。つまり、作業台の側面にスライド部を設ける必要がないので、作業台を広くすることができ、また、作業台の側面に邪魔な突起等を設ける必要がない。そのため、作業台の使い勝手がさらに向上する。
【００５８】
請求項５記載の発明の机においては、収納棚の底面にキャスターが取着され、収納棚の少なくとも一段の棚が難燃材料で形成されている。従って、収納棚に使用直後でまだ熱いアイロンであっても、収納棚を引き出して収納できるので片付けを効率的にできる。また、作業台はキャスターを有する脚部が取着され、前方にスライド可能となされている。従って、作業台の展開及び収納が容易に行え、室内空間を有効に活用できる。また、作業台は机の天板より下面に３０ｍｍ〜２００ｍｍの隙間を設けて机に取り付けられている。従って、作業台の上に衣類等を広げたままで、作業台を机の天板の下に収納することができる。つまり、面積の狭い住宅であっても、使い勝手のよい間取りを実現することができ、また、室内の片付けの簡単な住宅を実現することができる。
【００５９】
請求項６記載の発明の机取付構造においては、壁の相対する内面と机の端部とに、隙間を設けて机が設置されているので、机の挿入設置やし易く、施工が容易である。また、その隙間の前面が前記机の側面と略同じ外形の枠組とその枠組に取着された隙間を塞ぐ前板とからなる側板で塞がれており、前記枠組の厚さが前記前板の幅より小さくなされている。従って、壁面間の寸法精度や机の幅の寸法精度が悪くても、枠組はそのままで前板の幅を調整するだけで、側板を隙間の寸法に合わせることができる。つまり、少ない部品点数で優れた収まりを実現できる。また、枠組を床や壁や机に固定することにより、前板を簡単に固定することができるので、隙間を簡単に塞ぐことができる。
【００６０】
請求項７記載の発明の机取付構造においては、机の端部と壁の相対する内面との間の隙間の上面が前記机の天板の上に設けられた化粧板で塞がれている。従って、壁面間の寸法精度や机の幅の寸法精度が悪くても、化粧板と天板との重ね代を調整することで、隙間を塞ぐことができる。つまり、少ない部品点数で優れた収まりを実現できる。
【００６１】
請求項８記載の発明の机取付構造においては、机が請求項１，２，３，４又は５記載の机である。従って、作業台の展開及び収納が容易に行え室内空間を有効に活用できる。つまり、面積の狭い住宅であっても、使い勝手のよい間取りを実現することができ、また、室内の片付けの簡単な住宅を実現することができる。
【図面の簡単な説明】
【図１】本発明の机の実施例を示す斜視図である。
【図２】本発明の机の他の実施例を示す斜視図である。
【図３】本発明の机の他の実施例を示す斜視図である。
【図４】本発明の机の他の実施例を示す斜視図である。
【図５】図４のV −V 線断面図である。
【図６】図４のVI−VI線断面図である。
【図７】図４のVII 部の断面詳細図である。
【図８】図４のVII 部の斜視図である。
【図９】図４のIX部の断面詳細図である。
【符号の説明】
１，１Ａ，１Ｂ        机
２，２Ａ，２Ｂ        作業台
３，３Ａ，３Ｂ        収納棚
４，４Ａ，４Ｂ        キャスター
１２，１２Ａ，１２Ｂ  天板
１８                  側板
１８ａ                前板
１８ｂ                枠組
１９                  化粧板
２１，２１Ａ          スライド軸（スライド部）
２２，２２Ａ          スライド受け部
２３                  脚（脚部）
３２Ｂ                背板
３６，３６Ａ          棚
８１，８２，８３      壁
８１ａ，８３ａ        隙間
【図１】
0004758531.tif 000002
【図２】
0004758531.tif 000003
【図３】
0004758531.tif 000004
【図４】
0004758531.tif 000005
【図５】
0004758531.tif 000006
【図６】
0004758531.tif 000007
【図７】
0004758531.tif 000008
【図８】
0004758531.tif 000009
【図９】
0004758531.tif 000010